(57)【要約】      （修正有）【課題】ヘアドライヤー用根元ボリュームノズルを提供する。【解決手段】ヘアドライヤー１に備えられ、熱風を吐出するヘアドライヤーのノズル管２に取り付けられる根元ボリュームノズル１０において、ノズル管２を介して吐出される熱風が通過する複数の通気孔１１を有する胴体１２と；胴体１２の前方外側方向に突設され、複数の通気孔１１の間の間に位置するブラシ部１３と；胴体１２の後方側に位置する切開部と；前記切開部の上部に位置するように胴体１２の後方側から延び、前記切開部により弾性を有してヘアドライヤーのノズル管２の外面に乗って外嵌される際に広がる第１着脱部１５と；前記切開部の下部に位置して第１着脱部１５に対向して配設され、胴体１２の後方側から延び、前記切開部により弾性を有してヘアドライヤーのノズル管２の外面に乗って外嵌される際に広がる第２着脱部１６と；を備えられてなる。【選択図】図１
0003213043.tif 000002
【実用新案登録請求の範囲】
【請求項１】
ヘアドライヤー１に備えられ、熱風を吐出するヘアドライヤーのノズル管２に取り付けられる根元ボリュームノズル１０において、
前記ノズル管２を介して吐出される熱風が通過する複数の通気孔１１を有する胴体１２と；
前記胴体１２の前方外側方向に突設され、前記複数の通気孔１１の間の間に位置するブラシ部１３と；
前記胴体１２の後方側に位置する切開部１４と；
前記切開部１４の上部に位置するように前記胴体１２の後方側から延び、前記切開部１４により弾性を有して前記ヘアドライヤーのノズル管２の外面に乗って外嵌される際に広がる第１着脱部１５と；
前記切開部１４の下部に位置して前記第１着脱部１５に対向して配設され、前記胴体１２の後方側から延び、前記切開部１４により弾性を有して前記ヘアドライヤーのノズル管２の外面に乗って外嵌される際に広がる第２着脱部１６と；を含んでなることを特徴とするヘアドライヤー用根元ボリュームノズル。
【請求項２】
前記ヘアドライヤーのノズル管２は、その外面に互いに対称に設けられた第１係合溝部２１と第２係合溝部２２を更に備え、前記第１着脱部１５の先端と前記第２着脱部１６の先端には前記第１係合溝部２１と第２係合溝部２２にそれぞれ係合される係合突起２３が備えられ、前記第１着脱部１５と第２着脱部１６のいずれかの着脱部の外面にはユーザーが簡易に把持するための把持部２４が備えられてなることを特徴とする請求項１に記載のヘアドライヤー用根元ボリュームノズル。
【請求項３】
前記通気孔１１が穿孔された位置の前記胴体１２の内面には、前記ヘアドライヤーのノズル管２を介して吐出される熱風が前記胴体１２の通気孔１１を介して排出される際に、熱風にアニオンを供給するアニオン層３０が更に備えられてなることを特徴とする請求項１に記載のヘアドライヤー用根元ボリュームノズル。
【請求項４】
前記アニオン層３０は、前記胴体１２の内面に塗布される炭粉末塗料又は玉粉末塗料のいずれかの塗料からなることを特徴とする請求項３に記載のヘアドライヤー用根元ボリュームノズル。
【請求項５】
前記胴体１２の後方側から延び、前記第１着脱部１５と第２着脱部１６とに連結され、前記ヘアドライヤーのノズル管２を介して吐出される熱風が前記切開部１４から排出されること防止する遮蔽部１７が備えられてなることを特徴とする請求項１に記載のヘアドライヤー用根元ボリュームノズル。
【請求項６】
前記ヘアドライヤーのノズル管２は、その外面に互いに対称に設けられた第１係止部４１と第２係止部４２を更に備え、前記第１着脱部１５の先端と前記第２着脱部１６の先端には前記第１係止部４１と第２係止部４２に係止されるか、又は前記第１係止部４１と第２係止部４２から分離される弾性係止片５０が更に延設されてなることを特徴とする請求項１に記載のヘアドライヤー用根元ボリュームノズル。
【考案の詳細な説明】
【技術分野】
【０００１】
本考案はヘアドライヤー用根元ボリュームノズルに関するもので、より詳細には、ヘアドライヤーの送風ノズル部に装着されて髪の根元部分に対するボリュームをアップできるようにするだけでなく、送風ノズル部に着脱自在に設けられるので、髪の乾燥と髪のボリュームアップを兼用することができ、アニオン塗料により髪の毛にアニオンを供給するように構成したヘアドライヤー用根元ボリュームノズルに関するものである。
【背景技術】
【０００２】
一般的に、ヘアドライヤーは濡れた毛髪を乾かしたり手入れするために使用する生活家電機器であって、発熱部から放出される熱を送風ファンにより送出して濡れた毛髪を熱風で乾かしたり、自分の好みのヘアスタイルにセットしたりする際に使用している。
【０００３】
通常のヘアドライヤーは、鉄クロム線やニクロム線のような熱線から発生する熱風を用いて濡れた毛髪を乾かすできるように構成したものであり、円筒状の本体と、本体の底面の一側に設けられた取っ手を備え、本体の前後側には吸気口と吐出口が互いに対応するように形成される。前記吐出口の前方にはノズル管が分離結合可能に備えられ、本体の内部には駆動モータにより駆動される送風ファンと、この送風ファンの前方に設けられる熱線が装着される構成になっている。
【０００４】
また、ハンドル部分には操作スイッチが備えられて送風量を調節できるようになっており、ハンドルの先端部には外部電源に連結する電源線が備えられている。
【０００５】
従って、ヘアドライヤーを使用する際に電源線を外部電源に差し込んだ後、操作スイッチを操作すると、駆動モータと熱線が作動して吐出口の前方に結合されたノズル管を通じて熱風が排出される。ユーザーは熱風で濡れた毛髪を乾燥したり、自分の好みのヘアスタイルにセットするようになる。
【０００６】
しかし、従来のヘアドライヤーは熱風による対流加熱方式を用いて毛髪を乾かすようになる。この時、毛髪の内側部分まで乾かすために毛髪の一部を長時間ヘアドライヤーの熱風に露出する場合は、高温の熱風により毛髪が損傷する恐れがあるという問題点を有している。
【０００７】
また、従来のヘアドライヤーを用いてヘアスタイルをセットする際にはブラシ等を使用する。一方、ヘアドライヤーとブラシが別に備えられているため、一方の手でヘアドライヤーを握って毛髪に熱を加えながら、もう一方の手でブラシを使用して髪型をセットする。これによって、両手でそれぞれヘアドライヤーとブラシを持って作業を行わなければならないため、多少の煩わしさがある。
【０００８】
更に、ヘアドライヤーとブラシで髪型を整える場合、ヘアドライヤーのノズル管から放出される熱が分散されるため、ブラシの進行方向に合わせて熱風が集中的に伝達されず、髪の手入れがスムースにできない場合があると共に、ブラシが触れる深い毛髪の内側部位まで熱が伝達されない問題点がある。
【０００９】
これに対し、ブラシを備えているヘアドライヤーが案出されている。例えば、特許文献１にはブラシが付設されたヘアドライヤーが開示されている。
【００１０】
このような従来技術のヘアドライヤーは、内側中央の支持台に横設された横棒の外周縁に設けられたコイル状のヒーターと、前記ヒーターの両側に装着されて外部の空気を吸引する吸引ファンと、外周縁の全周囲に配設されたブラシと、前記ブラシの間に複数形成された排出孔と、両側面に吸引孔が形成されたカバーを結合したケーシングと、から構成された本体を有し、前記本体の一側にはヒーターと吸引ファンに電源を供給及び遮断する操作パネルを備えたハンドルが一体に結合されて構成されている。
【００１１】
このような従来技術によれば、ヘアドライヤーにブラシが一体に備えられているので、ブラシを用いて髪をくしけずる等の動作によりヘアケアができるようにしている。
【００１２】
しかし、このようなヘアドライヤーの場合は、ブラシが一体に備えられることで、熱風によるヘアケアができるようにしているが、シャンプーをした後の濡れた髪を乾かすには力不足である問題点がある。そのため、髪を乾かすための従来のヘアドライヤーと同様に、ブラシを別に備えて使用する不便さがあり、相異なる用途を有する２つのヘアドライヤーを購入しなければならず、消費者の費用負担が増加する問題点がある。
【先行技術文献】
【特許文献】
【００１３】
【特許文献１】韓国実用新案登録第２０−０２８６４９２号公報
【考案の概要】
【考案が解決しようとする課題】
【００１４】
本考案は、ノズル管を有する通常のヘアドライヤーのノズル管に着脱可能な根元ボリュームノズルを設けて、ヘアドライヤーを用いて髪だけを乾かしたい場合には、ノズル管から根元ボリュームノズルを分離して使用するようにし、髪にボリュームを与える場合には、根元ボリュームノズルをヘアドライヤーのノズル管に結合して使用するようにして、使い勝手や利便性が得られ、２つのヘアドライヤーをそれぞれ購入しなくても髪の乾燥とヘアケアの両方を解決できるようにしたヘアドライヤー用根元ボリュームノズルを提供することにその目的がある。
【課題を解決するための手段】
【００１５】
前述の目的を達成するための本考案に係るヘアドライヤー用根元ボリュームノズルは、ヘアドライヤーに備えられ、熱風を吐出するヘアドライヤーのノズル管に取り付けられる根元ボリュームノズルにおいて、前記ノズル管を介して吐出される熱風が通過する複数の通気孔を有する胴体と；前記胴体の前方外側方向に突設され、前記複数の通気孔の間の間に位置するブラシ部と；前記胴体の後方側に位置する切開部と；前記切開部の上部に位置するように前記胴体の後方側から延び、前記切開部により弾性を有して前記ヘアドライヤーのノズル管の外面に乗って外嵌される際に広がる第１着脱部と；前記切開部の下部に位置して前記第１着脱部に対向して配設され、前記胴体の後方側から延び、前記切開部により弾性を有して前記ヘアドライヤーのノズル管の外面に乗って外嵌される際に広がる第２着脱部と；を含んでなる。
【００１６】
また、前記ヘアドライヤーのノズル管２は、その外面に互いに対称に設けられた第１係合溝部と第２係合溝部を更に備え、前記第１着脱部の先端と前記第２着脱部の先端には前記第１係合溝部と第２係合溝部にそれぞれ係合される係合突起が備えられ、前記第１着脱部と第２着脱部のいずれかの着脱部の外面にはユーザーが簡易に把持するための把持部が備えられてなる。
【００１７】
また、前記通気孔が穿孔された位置の前記胴体の内面には、前記ヘアドライヤーのノズル管を介して吐出される熱風が前記胴体の通気孔を介して排出される際に、熱風にアニオンを供給するアニオン層が更に備えられてなる。
【００１８】
また、前記アニオン層は、前記胴体の内面に塗布される炭粉末塗料又は玉粉末塗料のいずれかの塗料からなる。
【００１９】
更に、前記胴体の後方側から延び、前記第１着脱部と第２着脱部とに連結され、前記ヘアドライヤーのノズル管を介して吐出される熱風が前記切開部から排出されること防止する遮蔽部が備えられてなる。
【００２０】
更に、前記ヘアドライヤーのノズル管２は、その外面に互いに対称に設けられた第１係止部と第２係止部を更に備え、前記第１着脱部の先端と前記第２着脱部の先端には前記第１係止部と第２係止部に係止されるか、又は前記第１係止部と第２係止部から分離される弾性係止片が更に延設されてなる。
【考案の効果】
【００２１】
本考案はヘアドライヤーのノズル管に取り付けられる根元ボリュームノズルにより、ユーザーが髪を手入れする過程で、髪の毛の根元部分に力を加えてボリュームを与えるようにする時、根元ボリュームノズルのブラシ部を用いて簡易に根元のボリュームをアップさせると共に、単に濡れた髪を乾かしたい場合には根元ボリュームノズルをヘアドライヤーのノズル管から分離して使用することができるので、既存のヘアドライヤーを交換せずにそのまま使用することができる。また、簡単な着脱構造により根元ボリュームノズルとヘアドライヤーのノズル管が結合や分離できるので、使い勝手や利便性が大幅に向上する。
【図面の簡単な説明】
【００２２】
【図１】本考案に係るヘアドライヤー用根元ボリュームノズルがヘアドライヤーのノズル管に結合される状態を示す分解斜視図である。
【図２】本考案に係るヘアドライヤー用根元ボリュームノズルを示す背面斜視図である。
【図３】本考案に係るヘアドライヤー用根元ボリュームノズルを示す正面斜視図である。
【図４】本考案に係るヘアドライヤー用根元ボリュームノズルの装着状態を示す端面図である。
【図５】本考案に係るヘアドライヤー用根元ボリュームノズルを構成する要部の一例を示す部分端面図である。
【図６】本考案に係るヘアドライヤー用根元ボリュームノズルの装着状態の他の実施形態を示す端面図である。
【図７】本考案に係るヘアドライヤー用根元ボリュームノズルを構成する要部の他の実施形態を示す部分端面図である。
【図８】本考案に係るヘアドライヤー用根元ボリュームノズルの他の実施形態を示す構成図である。
【図９】本考案に係るヘアドライヤー用根元ボリュームノズルの他の実施形態を示す斜視図である。
【図１０】本考案に係るヘアドライヤー用根元ボリュームノズルの他の実施形態を示す端面図である。
【考案を実施するための形態】
【００２３】
ヘアドライヤーに備えられ、熱風を吐出するヘアドライヤーのノズル管に取り付けられる根元ボリュームノズルにおいて、前記ノズル管を介して吐出される熱風が通過する複数の通気孔を有する胴体と；前記胴体の前方外側方向に突設され、前記複数の通気孔の間の間に位置するブラシ部と；前記胴体の後方側に位置する切開部と；前記切開部の上部に位置するように前記胴体の後方側から延び、前記切開部により弾性を有して前記ヘアドライヤーのノズル管の外面に乗って外嵌される際に広がる第１着脱部と；前記切開部の下部に位置して前記第１着脱部に対向して配設され、前記胴体の後方側から延び、前記切開部により弾性を有して前記ヘアドライヤーのノズル管の外面に乗って外嵌される際に広がる第２着脱部と；を含んでなることを特徴とする。
【００２４】
以下、前述の目的以外に本考案の他の目的や特徴は添付図面を参照して行う実施形態に対する説明を通して明らかになるであろう。
【００２５】
別の方法で定義されていない限り、技術的又は科学的な用語を含めてここで使用される全ての用語は本考案が属する技術分野で通常の知識を有する者によって一般的に理解されるものと同じ意味を持っている。一般的に使われる辞典に定義されていることのような用語は関連技術の文脈上持つ意味と一致する意味があることに解釈されなければならないし、本出願で明白に定義しない限り、理想的や過度に形式的な意味に解釈されない。
【００２６】
以下、本考案の実施形態に係るヘアドライヤー用根元ボリュームノズルを添付した図面を参照してより具体的に説明する。
【００２７】
図に示すように、本考案に係るヘアドライヤー用根元ボリュームノズルは、ヘアドライヤー１に備えられ、熱風を吐出するヘアドライヤーのノズル管２に取り付けられる根元ボリュームノズル１０であって、前記ノズル管２を介して吐出される熱風が通過する複数の通気孔１１を有する胴体１２と、前記胴体１２の前方外側方向に突設され、前記複数の通気孔１１の間の間に位置するブラシ部１３と、前記胴体１２の後方側に位置する切開部１４と、前記切開部１４の上部に位置するように前記胴体１２の後方側から延び、前記切開部１４により弾性を有して前記ヘアドライヤーのノズル管２の外面に乗って外嵌される際に広がる第１着脱部１５と、前記切開部１４の下部に位置して前記第１着脱部１５に対向して配設され、前記胴体１２の後方側から延び、前記切開部１４により弾性を有して前記ヘアドライヤーのノズル管２の外面に乗って外嵌される際に広がる第２着脱部１６と、を含んでなる。
【００２８】
前記胴体１２は軟性又は剛性を有する合成樹脂材料からなることができ、前記胴体１２の前方外側方向に突設されるブラシ部１３は、前記胴体１２と一体に延びて突出したり、又は別のブラシ部が前記胴体１２の前方外側方向に突出するように前記胴体１２に付着して固定することができる。
【００２９】
また、前記根元ボリュームノズル１０の胴体１２の前面、即ち、前記ブラシ部１３が設けられ、複数の通気孔１１が穿孔されている胴体１２の前面部の形状は、図１及び図２に示すように、平面状に形成することができる。この場合には前記ブラシ部１３が胴体１２の前方に水平状に位置する。
【００３０】
また、前記根元ボリュームノズル１０の胴体１２の前面は、図９及び図１０に示すように、弧状に丸く形成することができる。この場合には前記ブラシ部１３もやはり弧状の胴体１２の前面に沿って丸く位置する。
【００３１】
前記複数の通気孔１１は前記ヘアドライヤー１のノズル管２を介して吐出される熱風が前記胴体１２を経て排出させるためのもので、孔の大きさは多様に変更できる。孔の形状も円形の以外に、様々な形状に変更実施できることは勿論である。
【００３２】
前記第１着脱部１５と第２着脱部１６はそれぞれ独自の弾性を有するものである。即ち、前記胴体１２の後方側に位置する切開部１４によって弾性を有することができ、前記切開部１４の上方には前記第１着脱部１５が設けられ、前記切開部１４の下方には第２着脱部１６が設けられているので、前記第１着脱部１５と第２着脱部１６はそれぞれ独自の弾性を有することができる。
【００３３】
これにより、前記第１着脱部１５と第２着脱部１６がヘアドライヤー１のノズル管２の外面に乗ってノズル管２側に移動して外嵌される際、前記第１着脱部１５と第２着脱部１６が前記切開部１４を中心に互いに離間する方向に徐々に広がりながら外嵌される。また外嵌された後には、前記第１着脱部１５と第２着脱部１６に蓄えられた自体弾性による復元力により元の位置に戻って前記ノズル管２の外面に堅固に固定される。
【００３４】
前述のように構成された本考案によれば、ユーザーがヘアドライヤー１を用いて髪を乾かしたい場合には前記胴体１２をヘアドライヤー１のノズル管２から分離し、ノズル管２を介して強く吐出される熱風を用いて濡れた髪を乾かせばよい。
【００３５】
また、髪を乾かした後、又はシャンプーしない状態でヘアケアしたい場合は、前記ヘアドライヤー１のノズル管２に前記胴体１２を取り付けて使用すればよい。この時、前記胴体１２の第１着脱部１５と第２着脱部１６を前記ノズル管２に位置させた状態で前記胴体１２をノズル管２側に押し付けて第１着脱部１５と第２着脱部１６が前記ノズル管２の外面に外嵌されるようにして、胴体１２に備えられたブラシ部１３を用いてヘアケアすればよい。
【００３６】
この時、ブラシ部１３を用いたヘアケアはユーザーによって異なる場合がある。一例として、前記胴体１２が結合されたヘアドライヤーを動作させた状態で、前記ブラシ部１３を整えたい髪の根元部分に密着させた後、ブラシ部１３が髪の根元部分を丸く擦り上げるようにしながら、ゆっくりと髪を撫でると、髪の根元部分に熱風が伝達される共に、髪の根元部分が丸く擦り上がることで、髪の根元のボリュームアップが行われる。
【００３７】
このように、本考案は濡れた髪を乾かす通常のヘアドライヤーに根元ボリュームノズル１０の胴体１２を結合してヘアケアすることができるので、ユーザーは自分の好みの作業、つまり髪を乾かしたり、髪を手入れしたりする作業を進めることができ、使い勝手や利便性が大幅に向上する
【００３８】
その上、一方の手でブラシを握り、もう一方の手でヘアドライヤーを握った状態で、髪の毛に対する根元のボリュームアップを行うのとは異なり、簡易に根元ボリュームノズル１０をヘアドライヤー１のノズル管２に取り付けて根元のボリュームアップ作業を行うことができる。従って、ヘアドライヤーを握らないもう一方の手を自由に動かすことで、より精緻に美しく髪の毛に対する根元のボリュームアップを行うことができる。
【００３９】
本考案に係る前記ヘアドライヤーのノズル管２は、その外面に互いに対称に設けられた第１係合溝部２１と第２係合溝部２２を更に備え、前記第１着脱部１５の先端と前記第２着脱部１６の先端には前記第１係合溝部２１と第２係合溝部２２にそれぞれ係合される係合突起２３が備えられてなる。
【００４０】
また、前記第１着脱部１５と第２着脱部１６のいずれかの着脱部の外面にはユーザーが簡易に把持することができる把持部２４が備えられてなる。
【００４１】
前記把持部２４は、前記ヘアドライヤーのノズル管２から前記根元ボリュームノズル１０の胴体１２を分離する際に、前記把持部２４を握って前記第１着脱部１５と第２着脱部１６のいずれかの着脱部を持ち上げて、これらの第１着脱部１５と第２着脱部１６のいずれかの着脱部が前記ヘアドライヤーのノズル管２から広がるようにして、前記胴体１２がノズル管２から容易に分離されるようにするためのものである。
【００４２】
前記第１係合溝部２１と第２係合溝部２２は、前記ヘアドライヤーのノズル管２の外面に、互いに対向して配設されたものであり、その形状においても長方形や半円形又は弧状などのように、様々な形状に形成することができる。前記係合突起２３は前記第１係合溝部２１と第２係合溝部２２にそれぞれ係合されるようにするために、前記第１係合溝部２１と第２係合溝部２２に対応する個所に位置して、前記第１着脱部１５の先端と第２着脱部１６の先端にそれぞれ突設されている。
【００４３】
このように、胴体１２の第１着脱部１５と第２着脱部１６の先端にそれぞれ係合突起２３が更に備えられ、これに対応する個所に位置するように、前記ヘアドライヤーのノズル管２の外面に第１係合溝部２１と第２係合溝部２２が更に備えられているので、前記ヘアドライヤーのノズル管２に前記根元ボリュームノズル１０の胴体１２を結合する際に、前記係合突起２３が前記第１係合溝部２１と第２係合溝部２２に係合されることで、前記根元ボリュームノズル１０の胴体１２はヘアドライヤーのノズル管２から人為的な力を加えない限り、互いに分離されることが防止される。
【００４４】
これにより、ユーザーの髪の根元部分を丸く巻き上げて髪の根元のボリュームアップ作業を行う際に、前記ブラシ部１３が髪の根元部分に密着して髪を撫でてもヘアドライヤーのノズル管２に根元ボリュームノズル１０の胴体１２が強固に固定されているので、作業中にノズル管２から胴体１２が分離されたりすることが防止される。
【００４５】
また、本考案に係る前記通気孔１１が穿孔された位置の前記胴体１２の内面には、前記ヘアドライヤーのノズル管２を介して吐出される熱風が前記胴体１２の通気孔１１を介して排出される際に、熱風にアニオンを供給するアニオン層３０が更に備えられてなる。
【００４６】
この時、前記アニオン層３０は、前記胴体１２の内面に塗布される炭粉末塗料又は玉粉末塗料のいずれかの塗料からなることができる。
【００４７】
このように、アニオン層３０が前記胴体１２の内面に更に備えられることで、前記ノズル管２を介して吐出される熱風が前記胴体１２の内面を経て、前記通気孔１１を介して排出されて髪の毛側に伝達される際に、前記アニオン層３０から発生したアニオンや遠赤外線が共に発散されることで、髪の毛に対する健康増進効果が得られ、特に髪の毛の根元部分にアニオンや遠赤外線が放射されることで、髪の毛の根元健康に良い影響を与えるようになる。
【００４８】
本考案に係るヘアドライヤー用根元ボリュームノズルには、前記胴体１２の後方側から延びて前記第１着脱部１５と第２着脱部１６とに連結されて、前記ヘアドライヤーのノズル管２を介して吐出される熱風が前記切開部１４から放出されることを防止する遮蔽部１７が備えられてなることができる。
【００４９】
前記遮蔽部１７は図に示すように、前記胴体１２の側面に位置して、前記切開部１４に繋がるように備えられるもので、前記胴体１２をヘアドライヤーのノズル管２に外嵌すると、前記遮蔽部１７がノズル管２の前方側、つまり熱風が吐出されるノズル管２の前方側を遮蔽するので、前記ノズル管２を介して吐出される熱風が前記胴体１２の切開部１４から放出されることを防止する。
【００５０】
また、前記ヘアドライヤーのノズル管２は、その外面に互いに対称に設けられた第１係止部４１と第２係止部４２を更に備え、前記第１着脱部１５の先端と前記第２着脱部１６の先端には前記第１係止部４１と第２係止部４２に係止されるか、又は前記第１係止部４１と第２係止部４２から分離される弾性係止片５０が更に延設されてなる。
【００５１】
このように、弾性係止片５０が前記第１係止部４１と第２係止部４２に更に備えられ、前記弾性係止片５０が係止される第１係止部４１と第２係止部４１が前記ノズル管２の外面に更に備えられることで、前記根元ボリュームノズル１０の胴体１２を前記ヘアドライヤーのノズル管２に結合する際に、前記第１係止部４１と第２係止部４２が前記弾性係止片５０に係止されて固定されることで、胴体１２がノズル管２から人為的な力を加えない状態では互いの離脱が防止される。
【００５２】
この時、前記弾性係止片５０は図に示すように、自体の弾性によって押圧されるように備えられているので、前記第１係止部４１と第２係止部４２から弾性係止片５０を押圧した状態で、胴体１２をノズル管２から引っ張ると、胴体１２がノズル管２から容易に分離されることができる。
【００５３】
以上のように、本考案では具体的な構成要素などのような特定の事項と限定された実施形態及び図面によって説明したが、これは本考案のより全般的な理解を助けるために提供したものに過ぎず、本考案は前記実施形態に限定されるのではなく、本考案が属する技術分野で通常の知識を有する者であれば、このような記載から多様な修正及び変形が可能であることがわかるはずである。
【００５４】
従って、本考案の思想は前述の実施形態に限定されて決められてはならず、後述する実用新案登録請求の範囲だけでなく、この実用新案登録請求の範囲と均等な、又はこれから等価的に変更された全ての範囲は本考案の思想の範疇に属するというべきである。  
【産業上の利用可能性】
【００５５】
本考案によれば、ヘアドライヤーのノズル管に取り付けられる根元ボリュームノズルにより、ユーザーが髪を手入れする過程で髪の毛の根元部分に力を加えてボリュームを与えるようにする際に、根元ボリュームノズルのブラシ部を用いて簡易に根元のボリュームアップが行われるようにし、単純に濡れた髪を乾かしたい場合には根元ボリュームノズルをヘアドライヤーのノズル管から分離して使用することができるので、既存のヘアドライヤーを交換せずにそのまま使用することができ、簡単な着脱構造により根元ボリュームノズルとヘアドライヤーノズル管が結合されたり分離されることができるので、使い勝手や利便性を大幅に向上させることができる。従って、本考案は産業上の利用可能性が非常に高いと言える考案である。
【符号の説明】
【００５６】
１  ヘアドライヤー
２  ヘアドライヤーのノズル管
１０  根元ボリュームノズル
１１  通気孔
１２  胴体
１３  ブラシ部
１４  切開部
１５  第１着脱部
１６  第２着脱部
１７  遮蔽部
２１  第１係合溝部
２２  第２係合溝部
２３  係合突起
２４  把持部
３０  アニオン層
４１  第１係止部
４２  第２係止部
５０  弾性係止片
【図１】
0003213043.tif 000003
【図２】
0003213043.tif 000004
【図３】
0003213043.tif 000005
【図４】
0003213043.tif 000006
【図５】
0003213043.tif 000007
【図６】
0003213043.tif 000008
【図７】
0003213043.tif 000009
【図８】
0003213043.tif 000010
【図９】
0003213043.tif 000011
【図１０】
0003213043.tif 000012